(57)【要約】【課題】壁パネルと天井パネルとの連結に、ねじやボルトを使用しないユニットルームの天井取付構造を提供する。【解決手段】連結具１を用いて天井パネル２と壁パネル３とを組み付ける天井取付構造であって、連結具１は、くの字形屈曲片１ａを上端に形成した帯状の連結具本体の屈曲片突出方向側の面に、下方に突出する鉤爪１ｄを先端に形成した主突出片１ｂと、補助突片１ｃとを空隙１ｅを隔てて同一方向でかつ上下に突出させてなり、壁パネル３の上端に設けた突出片３ｃを、主突出片１ｂと補助突片１ｃとの間に形成された空隙１ｅに挿着させ、かつ主突出片１ｂとくの字形屈曲片１ａとで形成される凹所１ｈに、天井パネル２の端部を嵌入させる構造にしている。【選択図】図１
2006037444.tif 000002
【特許請求の範囲】
【請求項１】
連結具を用いて天井パネルと壁パネルとを組み付けるユニットルームの天井取付構造において、
上記連結具は、
くの字形の屈曲片を上端に形成した帯状の連結具本体の屈曲片突出方向側の面に、下方に突出する鉤爪を先端に形成した主突出片と、補助突片とを空隙を隔てて同一方向でかつ上下に突出させてなり、
上記壁パネルの上端に設けた突出片を、上記主突出片と上記補助突片との間に形成された上記空隙に挿着させ、かつ上記主突出片と上記くの字形屈曲片とで形成される凹所に、上記天井パネルの端部を嵌入させる構造にしている、ユニットルームの天井取付構造。
【請求項２】
請求項１において、
上記主突出片の上、下面の少なくとも一方には、止水用小突片を形成している、ユニットルームの天井取付構造。
【請求項３】
請求項１または２において、
上記連結具は、弾性部材で構成されている、ユニットルームの天井取付構造。
【請求項４】
請求項１〜３のいずれかにおいて、
上記連結具は、上記くの字形屈曲片を形成していない端部側に、上記連結具に挿着させた上記壁パネルの外面に対して当接するための延設片を形成している、ユニットルームの天井取付構造。
【発明の詳細な説明】
【技術分野】
【０００１】
本発明は、ネジやボルトを使用しない連結具を用いて天井パネルと壁パネルとを組み付けるユニットルームの天井取付構造に関するものである。
【背景技術】
【０００２】
従来より、床パンの４辺の外周に壁パネルを立設し、これら壁パネルの上端に天井パネルを取り付ける構造とした浴室ユニットが知られている。
図８には、この種の天井取付構造の一例を示す断面図である。１００は壁パネル、２００は天井パネルであり、壁パネル１００の上端より延出形成された取付片１００ａと、天井パネル２００の下端より延出形成された取付片２００ａとを、ねじ４００で相互に固定することにより、両者を連結する構造となっている。なお、符号３００は天井廻し縁である。
【０００３】
次に示した特許文献１には、ねじにより連結するようにした、壁パネルと天井パネルとの連結構造が開示されている。
【特許文献１】特開２００１−２０４４４号公報
【発明の開示】
【発明が解決しようとする課題】
【０００４】
ところが、浴室ユニットの施工手順は、まず壁パネルを立設してから天井パネルを取り付けるようにしているため、従来のねじ止めによる壁パネルと天井パネルの連結では、高い位置でねじ止め作業をしなければならず、作業性がきわめて悪く、時間がかかるものであった。
【０００５】
本発明は、このような問題を解決すべく提案されたもので、その目的は、壁パネルと天井パネルとの連結に、ねじやボルトを使用しないユニットルームの天井取付構造を提供することにある。
【課題を解決するための手段】
【０００６】
上記目的を達成するために、請求項１に記載のユニットルームの天井取付構造は、連結具を用いて天井パネルと壁パネルとを組み付けるものであって、連結具は、くの字形の屈曲片を上端に形成した帯状の連結具本体の屈曲片突出方向側の面に、下方に突出する鉤爪を先端に形成した主突出片と、補助突片とを空隙を隔てて同一方向でかつ上下に突出させてなり、壁パネルの上端に設けた突出片を、主突出片と補助突片との間に形成された空隙に挿着させ、かつ主突出片とくの字形屈曲片とで形成される凹所に、上記天井パネルの端部を嵌入させる構造にしている。
【０００７】
請求項２では、請求項１において、主突出片の上、下面の少なくとも一方には、止水用小突片を形成していることを特徴としている。
請求項３では、請求項１または２において、連結具が弾性部材で構成されていることを特徴としている。
請求項４では、請求項１〜３のいずれかにおいて、連結具は、くの字形屈曲片を形成していない端部側に、連結具に挿着させた壁パネルの外面に対して当接するための延設片を形成していることを特徴としている。
【発明の効果】
【０００８】
請求項１〜４に記載のユニットルームの天井取付構造は、連結具を用いて天井パネルと壁パネルとを組み付けるようになっている。つまり、その連結具は、一端にくの字形屈曲片を形成した帯状本体の一方の側面に、先端に鉤爪を形成した主突出片と、補助突片とを空隙を隔てて同一方向に突出させてなり、壁パネルの上端に設けた突出片を、主突出片と上記補助突片との間に形成された空隙に挿着させ、かつ主突出片と上記くの字形屈曲片とで形成される凹所に、天井パネルの側端を嵌入させる構造にしている。
【０００９】
このような構造のため、壁パネルの上端に設けた突出片を、主突出片と上記補助突片との間に形成された空隙に押し込んで行くと、鉤爪が弾性変形して、突出片が空隙内に挿着され、最後まで挿着されると、鉤爪は元の状態に戻るので、壁パネルの抜け出しは阻止される。次に、壁パネルの上方より天井パネルの側端を主突出片の上面に押し付けると、天井パネルによってくの字形屈曲片が弾性変形して、天井パネルは主突出片の上面に置かれ、このときくの字形屈曲片は元に戻るため、天井パネルの側端は、主突出片とくの字形屈曲片とで形成される凹所に嵌り込み、多少の外力が加わっても外れないように保持される。
【００１０】
すなわち、このような構造によれば、天井パネルと壁パネルは、ねじ、ボルトなどの止着手段を用いなくても強固に連結することができる。特に、立設した壁パネルに連結具を取り付けた状態で、壁パネルの上方より天井パネルを、主突出片とくの字形屈曲片とで形成される凹所に、上方から押し込むようにして取り付けることができるので、高所でねじ、ボルト止めする作業と比較して施工性の点で、きわめてすぐれている。
【００１１】
また、天井パネルの取付完了後は、主突出片の鉤爪部分が、ユニットルーム内の天井と壁との間に突き出た形となり、天井廻し縁の代わりにもなる。このため、天井廻し縁の施工手間が省け、ユニットルームの全体施工時間を短縮することができる。また、部材点数を少なくすることができる。
【００１２】
請求項２では、連結具の主突出片の上、下面の少なくとも一方に止水用小突片が形成されているので、水が外部に漏れ出ることを防止することができる。
請求項３では、連結具が弾性部材で構成されているので、壁パネル突出片の連結具に対する挿着、および天井パネルの連結具に対する取付を、小さな力で簡単に行うことができる。
請求項４では、連結具は、くの字形屈曲片を形成していない下端側に、壁パネルの外面に当接する当接部を形成しているので、壁パネルと連結具との連結をさらに強固にすることができる。
【発明を実施するための最良の形態】
【００１３】
以下に、本発明の実施の形態について、添付図面とともに説明する。
なお、以下の実施例では、ユニットルームの代表例として浴室ユニットの例を示している。
【実施例１】
【００１４】
図２は、本発明のユニットルームの天井取付構造の分解斜視図である。
浴室ユニットルームは、複数の壁パネル３とドア枠Ｄとを相互に連結して浴室空間を形成している。壁パネル３同士、および壁パネル３とドア枠Ｄとは、壁パネル３の外面に組み付けた上下に走る中空のバックフレーム３ｄに対して各種の連結部材を取り付けることによって相互に連結されている。
図示するように、壁パネル同士の連結には平連結（ａ）とコーナ連結（ｂ）があるが、これらの連結構造については図３、図４に詳細を示している。
【００１５】
図３（ａ）（ｂ）は、図２（ａ）（ｂ）に対応する水平断面図である。（ａ）の平連結は、図４に示したように、一方の壁パネル３のバックフレーム３ｄの中空部にねじ孔１０ａを有した内組ジョイナー１０を、その上部を突出させた状態に差し込んでから、専用ねじ１１をバックフレーム３ｄに形成されただるま孔３ｅを介して、内組ジョイナー１０のねじ孔１０ａにねじ込み固定する（図４（ａ）を参照）。このような状態で、一方の壁パネル３に差し込んだ専用ねじ１１を他方の壁パネル３のバックフレーム３ｄに形成しただるま孔３ｅに挿入してから（図４（ｂ）を参照）、最後にバックフレーム３ｄの上端より突出した内組ジョイナー１０をハンマー等で打ち込んでバックフレーム３ｄ同士を止着する（図４（ｂ）（ｃ）を参照）。
また、図３（ｂ）のコーナ連結は、コーナ取付面に複数のダボ２０ａを設けたコーナジョイナー２０を、両方のフレーム３ｄ、３ｄのだるま孔３ｅ、３ｅに挿入して固定する。
なお、図中の符号Ｓは防水用の目地（シーリング）を示している。
【００１６】
次に、天井取付の概略手順について、図２を参照しながら説明する。
まず、床パン（不図示）上に壁パネル３とドア枠Ｄとを立設して形成された外郭各壁面の上端に、連結具１を取り付ける（図中の矢印（１））。なお、図には１面のみの連結具１の取付を示し、他面については割愛している。ついで、連結具１を取り付けた状態の外郭の上方から、天井パネル２を連結具１に対して押し込むようにして取り付ける（矢印（２））。なお、図中の符号３ｃは連結具１を取り付けるための壁パネル３の上端に設けられた突出片を示している。
【００１７】
図５は、連結具１の構造説明図であり、（ａ）は全体斜視図、（ｂ）は側面図を示している。
連結具１の本体は、壁面の一辺に対応する帯状形状をしており、壁パネル３および天井パネル２を取り付けるために次のような構造を有している。
本体の上端には、くの字形の屈曲片１ａを形成しており、くの字形屈曲片１ａを有した側面には、先端に鉤爪１ｄを形成した主突出片１ｂが突出し、さらにその下方には補助突片１ｃが同一方向に突出している。つまり、主突出片１ｂとくの字形屈曲片１ａとの間には凹所１ｈが、主突出片１ｂと補助突片１ｃとの間には空隙１ｅが形成されている。さらに、本体の下端には、補助突片１ｃの下方に延びた延設片１ｆが形成されている。また、主突出片１ａの上下面の少なくとも一方には、止水用小突片１ｇを形成している（図５（ｂ）参照、図５（ａ）では省略している）。
なお、連結具１は、金属板を加工して製することが望ましいが、金属と同等の強度があり、ある程度の弾性を有した樹脂等の素材を用いてもよい。
【００１８】
次に、連結具１の上記構造による作用と特徴について、図１および図６、図７を参照しながら説明する。
連結具１の主突出片１ｂと補助突片１ｃとの間に形成された空隙１ｅには、壁パネル３の上端に設けた突出片３ｃが挿着される。つまり、主突出片１ｂとその先端の鉤爪１ｄと補助突片１ｃとにより、壁パネル３が固定される。そして、連結具１の延設片１ｆが壁パネル３の外面に当接し、壁パネル３と連結具１とは、さらに強固に連結される。
【００１９】
ここに、壁パネル３は、パネル本体３ａと、パネル本体３ａの表面に取り付けられ、上端を折り返して突出片３ｃを形成させた金属化粧板３ｂとを含んで構成される。またパネル本体３ａの代表的なものとしては、特殊なセメント板などを基材として、その表面にベースコート層、トップコート層を形成し、裏面にバックコート層を形成し、バックコート層の裏から、補強、連結のために、アルミなどで構成された中空のバックフレーム３ｄ（図２参照）を溶接や接着で取り付けた構造体をなしているものが採用される。
壁パネル３は、以上のような構造に限定されるものではなく、少なくとも、パネル上端に、連結具１の空隙１ｅに対して挿着される取付片（突出片３ｃ）を設けた構造であればよい。
【００２０】
なお、ドア枠Ｄを設けた面については（図２参照）、壁パネル３のみに対して連結具１を取り付けてもよいし、ドア枠Ｄの上端に、壁パネル３と同様の取付片を設けて、壁パネル、ドア枠の両方に対して連結具１を取り付けるようにしてもよい。
【００２１】
また、連結具１の主突出片１ｂと、くの字形屈曲片１ａとで形成された凹所１ｈには、天井パネル２の端部が嵌入される。つまり、各壁面の壁パネル３に取り付けられた各連結具１の凹所１ｈには、天井パネル２の各端部が嵌入され、結果的には、天井パネル２が連結具１の主突出片１ｂの上面に置かれ、４辺のくの字形屈曲片１ａによって、天井パネル２が上方に外れないように保持される。
【００２２】
図６（ａ）〜（ｃ）には、壁パネル３に対する連結具１の具体的な取付手順を示している。
（ａ）壁パネル３の上端に設けた突出片３ｃが、連結具１の主突出片１ｂと補助突片１ｃとの間の空隙１ｅに挿着されるように、壁パネル３に対して連結具１を矢印方向に押し込んでいく。
（ｂ）壁パネル３と連結具１とを接近させていくと、突出片３ｃが主突出片１ｂの先端の鉤爪１ｄに当たり、主突出片１ｂは弾性変形して上方に撓む。
（ｃ）さらに押し込んで、壁パネル３の突出片３ｃが空隙１ｅに完全に挿着されると、鉤爪１ｄは元の状態に戻り、その結果、壁パネル３の抜け出しは阻止される。このとき、パネル本体３ａの外面は延設片１ｆによって当接されて強固に固定される。
このようにして、壁パネル３には連結具１が強固に固着される。
【００２３】
図７（ａ）〜（ｃ）には、天井パネル２の取付手順を示している。なお、本図には示していないが、他の壁面の壁パネル３にも連結具１が装着されて立設されている。
（ａ）壁パネル３に連結具１を取り付けた状態で、壁パネル３の上方から天井パネル３を矢印方向に押し付ける。
（ｂ）すると、天井パネル３の側端が連結具１のくの字形屈曲片１ａに当たり、くの字形屈曲片１ａは外側に弾性変形する。
（ｃ）さらに押し込むと、天井パネル２の側端は主突出片１ｂの上面に置かれ、そのとき、くの字形屈曲片１ａは元の状態に戻り、その結果、天井パネル２の側端部は、主突出片１ｂとくの字形屈曲片１ａとで形成される凹所１ｈに嵌まり込む。
【００２４】
このようにして、天井パネル２は、４つの連結具１のくの字形屈曲片１ａにより上方に外れないようになる。すなわち、壁パネル３と天井パネル２とは、ねじ、ボルト止めすることなく、連結具１を介して連結される。
特に、天井パネル２の取付は、連結具１を取り付けた壁パネル３が立設された状態で、天井パネル２を上方から嵌め込むだけの作業ですむため、高所での作業にもかかわらず、迅速かつ簡単に作業することができる。
また、主突出片１ｂの上下面には止水用小突片１ｇ、１ｇが形成されているので、これらが防水シールとして作用する。
【００２５】
また、図７（ｃ）でも理解できるように、天井パネル２の取付完了後は、主突出片１ｂの鉤爪１ｄ部分は、ユニットルーム内の天井と壁との間に突き出た形となり、天井廻し縁の代わりにもなる。このため、天井廻し縁の施工手間が省け、ユニットルームの全体施工時間を短縮することができる。また、天井廻し縁用の部材が不要であるため、部材点数を少なくすることができる。
【００２６】
上記の実施例では、１枚の天井パネル２を取り付ける例を示したが、複数枚に分割された天井パネルにも適用可能である。
【図面の簡単な説明】
【００２７】
【図１】本発明の天井取付構造で使用される連結具の各部の作用を説明するための図である。
【図２】本発明のユニットルームの天井取付構造の分解斜視図である。
【図３】壁パネル同士の連結状態を示した水平断面図であり、（ａ）は平連結、（ｂ）はコーナ連結の状態を示している。
【図４】（ａ）〜（ｃ）は壁パネル同士の平連結の手順を示した説明図である。
【図５】本発明の天井取付構造で使用される連結具の構造説明図であり、（ａ）は全体斜視図、（ｂ）は側面図を示している。
【図６】（ａ）〜（ｃ）は、壁パネルに対する連結具の取付手順を示した図である。
【図７】（ａ）〜（ｃ）は、天井パネルの取付手順を示した図である。
【図８】従来の天井取付構造を示した図である。
【符号の説明】
【００２８】
１      連結具
１ａ      くの字形屈曲片
１ｂ      主突出片
１ｃ      補助突片
１ｄ      鉤爪
１ｅ      （壁パネルの突出片を挿着させるための）空隙
１ｆ      延設片
１ｇ      止水用小突片
１ｈ      凹所
２      天井パネル
３      壁パネル
３ａ      パネル本体
３ｂ      金属化粧版
３ｃ      突出片
３ｄ      バックフレーム
【図１】
2006037444.tif 000003
【図２】
2006037444.tif 000004
【図３】
2006037444.tif 000005
【図４】
2006037444.tif 000006
【図５】
2006037444.tif 000007
【図６】
2006037444.tif 000008
【図７】
2006037444.tif 000009
【図８】
2006037444.tif 000010